(57)【要約】      （修正有）【課題】通話中に会話を中断することなくメッセージの送受信を可能とするボタン電話情報表示システム、方法、プログラム、記録媒体を提供すること。【解決手段】発信側ボタン電話装置１から発信し、SIPをサポートしたIP網３を経由して着信側ボタン電話装置に着信する。着信側ボタン電話装置２は着信の発生により、第１の送信メッセージデータを読み出し、発信側ボタン電話装置１に送信する。発信側ボタン電話装置１は電話の呼び出し中に第1の送信メッセージデータを受信し、発信側電話機の表示部１６に表示させる。着信側電話機２５が着信に応答したタイミングで、着信側ボタン電話装置２は第２の送信メッセージデータを読み出し、発信側ボタン電話装置１に送信する。発信側ボタン電話装置は第２の送信メッセージデータを受信し、前記発信側電話機の表示部に表示させる。【選択図】図１
2005260423.tif 000002
【特許請求の範囲】
【請求項１】
ＳＩＰ（Ｓｅｓｓｉｏｎ  Ｉｎｉｔｉａｌ  Ｐｒｏｔｏｃｏｌ）をサポートしたＩＰ（Ｉｎｔｅｒｎｅｔ  Ｐｒｏｔｏｃｏｌ）網を介して、発信側ボタン電話装置及び着信側ボタン電話装置の間でメッセージデータを送受信するボタン電話情報表示システムにおいて、
前記着信側ボタン電話装置は、
前記発信側ボタン電話装置からの発信を受け、第１のＳＩＰゲートウェイが電話機能制御部に着信を通知し、
送信すべき第１及び第２の送信メッセージデータがあらかじめ記憶されているメッセージ記憶部と、
前記第１の送信メッセージデータを読み出し、前記着信側ボタン電話装置に接続された着信側電話機が鳴動している状態で、前記読み出された第１の送信メッセージデータを前記発信側ボタン電話装置に送信し、前記着信側電話機が応答した時点で、前記第２の送信メッセージデータを読み出し、読み出された第２の送信メッセージデータを前記発信側ボタン電話装置に送信するよう制御する着信側制御手段を有し、
前記発信側ボタン電話装置は、
前記第１のＳＩＰゲートウェイから送信された第１及び第２の送信メッセージデータを受ける第２のＳＩＰゲートウェイと、
前記第１及び前記第２の送信メッセージデータを取得するメッセージ取得部と、
前記取得された第１及び第２の送信メッセージデータを前記発信側ボタン電話装置の表示部に表示するよう制御する発信側制御手段
を有することを特徴とするボタン電話情報表示システム。
【請求項２】
前記着信側ボタン電話装置は第１〜第ｎ（ｎは２以上の自然数）の着信側電話機に接続され、
前記メッセージ記録部は、前記第１の送信メッセージデータを送信後に前記第１〜第ｎ（ｎは２以上の自然数）の着信側電話機が応答した時点で送信する前記第２の送信メッセージデータを、前記各着信側電話機ごとに異なるメッセージ内容で登録することを特徴とする請求項１記載のボタン電話情報表示システム。
【請求項３】
前記メッセージの登録は、前記着信側電話機のダイヤルキーを用いて行われることを特徴とする請求項１又は２記載のボタン電話情報表示システム。
【請求項４】
前記メッセージの登録は、ＷＥＢブラウザ機能もしくは専用の設定プログラムを有するコンピュータを用いて行われることを特徴とする請求項１又は２記載のボタン電話情報表示システム。
【請求項５】
ＳＩＰ（Ｓｅｓｓｉｏｎ  Ｉｎｉｔｉａｌ  Ｐｒｏｔｏｃｏｌ）をサポートしたＩＰ（Ｉｎｔｅｒｎｅｔ  Ｐｒｏｔｏｃｏｌ）網を介してメッセージデータを送受信し、発信側ボタン電話装置に接続された第１〜第ｎ（ｎは２以上の自然数）の発信側電話機、及び着信側ボタン電話装置に接続された第１〜第ｎ（ｎは２以上の自然数）の着信側電話機の表示部にそれぞれ前記メッセージデータを表示するボタン電話情報表示方法において、
前記発信側ボタン電話装置からの発信を受け、着信を促すステップと、
送信すべき第１及び第２の送信メッセージデータをあらかじめ記憶するステップと、
前記第１の送信メッセージデータを読み出し、前記着信側ボタン電話装置に接続された着信側電話機が鳴動している状態で、前記読み出された第１の送信メッセージデータを前記発信側ボタン電話装置に送信するステップと、
前記着信側電話機が応答した時点で、前記第２の送信メッセージデータを読み出すステップと、
前記読み出された第２の送信メッセージデータを前記発信側ボタン電話装置に送信するステップと、
前記第１のＳＩＰゲートウェイから送信された第１及び第２の送信メッセージデータを受信するステップと、
前記受信された第１及び前記第２の送信メッセージデータを取得するステップと、
前記取得された第１及び第２の送信メッセージデータを前記発信側ボタン電話装置の表示部に表示するステップ
を有することを特徴とするボタン電話情報表示方法。
【請求項６】
前記第１〜第ｎ（ｎは２以上の自然数）の着信側電話機が応答した時点で送信する前記第２の送信メッセージデータを、前記各着信側電話機ごとに異なるメッセージ内容で登録するステップを有することを特徴とする請求項５記載のボタン電話情報表示方法。
【請求項７】
前記登録するステップにおいて、各着信側電話機のダイヤルキーを用いてメッセージの登録を行うことを特徴とする請求項６記載のボタン電話情報表示方法。
【請求項８】
前記登録するステップにおいて、ＷＥＢブラウザ機能もしくは専用の設定プログラムを有するコンピュータを用いてメッセージの登録を行うことを特徴とする請求項６記載のボタン電話情報表示方法。
【請求項９】
コンピュータに、ＳＩＰ（Ｓｅｓｓｉｏｎ  Ｉｎｉｔｉａｌ  Ｐｒｏｔｏｃｏｌ）をサポートしたＩＰ（Ｉｎｔｅｒｎｅｔ  Ｐｒｏｔｏｃｏｌ）網を介してメッセージデータを送受信し、発信側ボタン電話装置に接続された第１〜第ｎ（ｎは２以上の自然数）の発信側電話機、及び着信側ボタン電話装置に接続された第１〜第ｎ（ｎは２以上の自然数）の着信側電話機の表示部にそれぞれ前記メッセージデータを表示するステップを実行させるプログラムであって、
前記発信側ボタン電話装置からの発信を受け、着信を促すステップと、
送信すべき第１及び第２の送信メッセージデータをあらかじめ記憶するステップと、
前記第１の送信メッセージデータを読み出し、前記着信側ボタン電話装置に接続された着信側電話機が鳴動している状態で、前記読み出された第１の送信メッセージデータを前記発信側ボタン電話装置に送信するステップと、
前記着信側電話機が応答している状態で、前記第２の送信メッセージデータを読み出すステップと、
前記読み出された第２の送信メッセージデータを前記発信側ボタン電話装置に送信するステップと、
前記第１のＳＩＰゲートウェイから送信された第１及び第２の送信メッセージデータを受信するステップと、
前記受信された第１及び前記第２の送信メッセージデータを取得するステップと、
前記取得された第１及び第２の送信メッセージデータを前記発信側ボタン電話装置の表示部に表示するステップ
を実行させることを特徴とするプログラム。
【請求項１０】
前記第１〜第ｎ（ｎは２以上の自然数）の着信側電話機が応答した時点で送信する前記第２の送信メッセージデータを、前記各着信側電話機ごとに異なるメッセージ内容で登録するステップを前記コンピュータに更に実行させるための請求項９記載のプログラム。
【請求項１１】
前記登録するステップにおいて、各着信側電話機のダイヤルキーを用いてメッセージの登録を行う処理を前記コンピュータに更に実行させるための請求項１０記載のプログラム。
【請求項１２】
前記登録するステップにおいて、ＷＥＢブラウザ機能もしくは専用の設定プログラムを有するコンピュータを用いてメッセージの登録を行う処理を前記コンピュータに更に実行させるための請求項１０記載のプログラム。
【請求項１３】
請求項９〜１２のいずれかに記載のプログラムを記録したことを特徴とするコンピュータ読取可能な情報記録媒体（コンパクトディスク、フレキシブルディスク、ハードディスク、光磁気ディスク、ディジタルビデオディスク、磁気テープ、または、半導体メモリを含む。）。
【発明の詳細な説明】
【技術分野】
【０００１】
本発明はボタン電話情報表示システム、方法、プログラム、及び記録媒体に関する。
【背景技術】
【０００２】
以下、ボタン電話情報表示方法における背景技術について説明する。尚、当該背景技術に関連した先行技術文献情報として以下の特許文献１がある。必要があれば参照されたい。
【０００３】
従来デジタル式のボタン電話装置においてボタン電話機に「外出中」などのテキスト文を登録して、同一構内からの内線電話着信において設定したテキスト文を発信者の電話機に表示することは可能であった。
【０００４】
しかしこの技術は同一ボタン電話装置に収容されたボタン電話機間でのみ可能であり、一般公衆網では不可能であった。またＩＰ網においても考慮されていない。
【０００５】
近年ＶｏＩＰ技術の進歩により、ＩＰ網を利用して音声交換をおこなう事例が増加している。音声入出力機能を装備したパソコンあるいはＰＤＡで、音声交換とデータ交換を同時に行うことは容易である。しかし事務所の音声交換の手段としてはいまだボタン電話装置を使用することが一般的であり、ボタン電話機に装備されている表示器およびボタン電話機へのテキスト文入力方法を使用してメッセージの送受信を行うことは、非常に有効な情報伝達手段である。ＳＩＰをサポートしたＩＰ網を経由して接続された２つの対向したボタン電話装置間でメッセージを送受できることで、個人のプレゼンス情報や自社の宣伝を相手電話機の表示器に表示するなどの多様な用途に利用が可能となる。
【０００６】
【特許文献１】特開２０００−１１５３９９号公報
【発明の開示】
【発明が解決しようとする課題】
【０００７】
上記した従来のボタン電話装置では通話中に音声以外の信号を送受信することはできない。ＰＢ信号等で送受信する場合においても、音声帯域を使用するため、同時に通信することは困難であり、音声通話を中断する必要があった。
【０００８】
またＶｏＩＰ技術により音声をＩＰパケットに変換する方式において音声以外の信号を送受信するためには、音声の入力およびテキスト文の入力、表示にパソコンあるいはＰＤＡのような入出力装置が必要であった。
【課題を解決するための手段】
【０００９】
かかる目的を達成するため、請求項１記載の発明は、ＳＩＰ（Ｓｅｓｓｉｏｎ  Ｉｎｉｔｉａｌ  Ｐｒｏｔｏｃｏｌ）をサポートしたＩＰ（Ｉｎｔｅｒｎｅｔ  Ｐｒｏｔｏｃｏｌ）網を介して、発信側ボタン電話装置（１）及び着信側ボタン電話装置（２）の間でメッセージデータを送受信するボタン電話情報表示システムにおいて、
前記着信側ボタン電話装置（２）は、発信側ボタン電話装置（１）からの発信を受け、第１のＳＩＰゲートウェイ（２２）が電話機能制御部（２１）に着信を通知し、送信すべき第１及び第２の送信メッセージデータがあらかじめ記憶されているメッセージ記憶部（２４）と、前記第１の送信メッセージデータを読み出し、前記着信側ボタン電話装置に接続された着信側電話機が鳴動している状態で、前記読み出された第１の送信メッセージデータを前記発信側ボタン電話装置に送信し、前記着信側電話機が応答した時点で、前記第２の送信メッセージデータを読み出し、読み出された第２の送信メッセージデータを前記発信側ボタン電話装置に送信するよう制御する着信側制御手段（２１，２４）を有し、
発信側ボタン電話装置（１）は、第１のＳＩＰゲートウェイ（２２）から送信された第１及び第２の送信メッセージデータを受ける第２のＳＩＰゲートウェイ（１２）と、前記第１及び前記第２の送信メッセージデータを取得するメッセージ取得部（１４）と、前記取得された第１及び第２の送信メッセージデータを発信側ボタン電話装置（１）に接続された発信側電話機（１５）の電話機表示部（１６）に表示するよう制御する発信側制御手段（１１，１３，１４）を有することを特徴とする。
【００１０】
さらに、請求項２記載の発明は、
前記着信側ボタン電話装置は第１〜第ｎ（ｎは２以上の自然数）の着信側電話機（２５、２７、２８）に接続され、
前記メッセージ記録部（２４）は、前記第１の送信メッセージデータを送信後に前記第１〜第ｎ（ｎは２以上の自然数）の着信側電話機が応答した時点で送信する前記第２の送信メッセージデータを、前記各着信側電話機ごとに異なるメッセージ内容で登録することを特徴とする。
【００１１】
さらに、請求項３記載の発明は、前記メッセージの登録が、前記着信側電話機のダイヤルキーを用いて行われることを特徴とする。
【００１２】
さらに、請求項４記載の発明は、前記メッセージの登録がＷＥＢブラウザ機能もしくは専用の設定プログラムを有するコンピュータを用いて行われることを特徴とする請求項１又は２記載のボタン電話情報表示システム。
【００１３】
また、請求項５記載の発明は、ＳＩＰ（Ｓｅｓｓｉｏｎ  Ｉｎｉｔｉａｌ  Ｐｒｏｔｏｃｏｌ）をサポートしたＩＰ（Ｉｎｔｅｒｎｅｔ  Ｐｒｏｔｏｃｏｌ）網を介してメッセージデータを送受信し、発信側ボタン電話装置（１）に接続された第１〜第ｎ（ｎは２以上の自然数）の発信側電話機（１５）、及び着信側ボタン電話装置（２）に接続された第１〜第ｎ（ｎは２以上の自然数）の着信側電話機（２５，２７，２８）の表示部（１６，２６）にそれぞれ前記メッセージデータを表示するボタン電話情報表示方法において、
発信側ボタン電話装置（１）からの発信を受け、着信を促すステップと、送信すべき第１及び第２の送信メッセージデータをあらかじめ記憶するステップと、前記第１の送信メッセージデータを読み出し、着信側ボタン電話装置（２）に接続された着信側電話機（２５，２７，２８）が鳴動している状態で、前記読み出された第１の送信メッセージデータを発信側ボタン電話装置（１）に送信するステップと、着信側電話機（２５,２７,２８）が応答した時点で、前記第２の送信メッセージデータを読み出すステップと、前記読み出された第２の送信メッセージデータを発信側ボタン電話装置（１）に送信するステップと、前記第１のＳＩＰゲートウェイから送信された第１及び第２の送信メッセージデータを受信するステップと、前記受信された第１及び前記第２の送信メッセージデータを取得するステップと、前記取得された第１及び第２の送信メッセージデータを発信側ボタン電話装置の表示部（１６）に表示するステップを有することを特徴とする。
【００１４】
さらに、請求項６記載の発明は、前記第１〜第ｎ（ｎは２以上の自然数）の着信側電話機が応答した時点で送信する前記第２の送信メッセージデータを、前記各着信側電話機ごとに異なるメッセージ内容で登録するステップを有することを特徴とする。
【００１５】
さらに、請求項７記載の発明は、前記登録するステップにおいて、各着信側電話機のダイヤルキーを用いてメッセージの登録を行うことを特徴とする。
【００１６】
さらに、請求項８記載の発明は、前記登録するステップにおいて、ＷＥＢブラウザ機能もしくは専用の設定プログラムを有するコンピュータを用いてメッセージの登録を行うことを特徴とする。
【００１７】
また、請求項９記載の発明は、コンピュータに、ＳＩＰ（Ｓｅｓｓｉｏｎ  Ｉｎｉｔｉａｌ  Ｐｒｏｔｏｃｏｌ）をサポートしたＩＰ（Ｉｎｔｅｒｎｅｔ  Ｐｒｏｔｏｃｏｌ）網を介してメッセージデータを送受信し、発信側ボタン電話装置に接続された第１〜第ｎ（ｎは２以上の自然数）の発信側電話機、及び着信側ボタン電話装置に接続された第１〜第ｎ（ｎは２以上の自然数）の着信側電話機の表示部にそれぞれ前記メッセージデータを表示するステップを実行させるプログラムであって、
前記発信側ボタン電話装置からの発信を受け、着信を促すステップと、送信すべき第１及び第２の送信メッセージデータをあらかじめ記憶するステップと、前記第１の送信メッセージデータを読み出し、前記着信側ボタン電話装置に接続された着信側電話機が鳴動している状態で、前記読み出された第１の送信メッセージデータを前記発信側ボタン電話装置に送信するステップと、前記着信側電話機が応答した時点で、前記第２の送信メッセージデータを読み出すステップと、前記読み出された第２の送信メッセージデータを前記発信側ボタン電話装置に送信するステップと、前記第１のＳＩＰゲートウェイから送信された第１及び第２の送信メッセージデータを受信するステップと、前記受信された第１及び前記第２の送信メッセージデータを取得するステップと、前記取得された第１及び第２の送信メッセージデータを前記発信側ボタン電話装置の表示部に表示するステップを前記コンピュータに更に実行させるためのプログラムである。
【００１８】
さらに、請求項１１記載の発明は、前記登録するステップにおいて、各着信側電話機のダイヤルキーを用いてメッセージの登録を行う処理を前記コンピュータに更に実行させるためのプログラムである。
【００１９】
さらに、請求項１２記載の発明は、前記登録するステップにおいて、ＷＥＢブラウザ機能もしくは専用の設定プログラムを有するコンピュータを用いてメッセージの登録を行う処理を前記コンピュータに更に実行させるためのプログラムである。
【００２０】
また、請求項１３記載の発明は、前記プログラムを記録したことを特徴とするコンピュータ読取可能な情報記録媒体（コンパクトディスク、フレキシブルディスク、ハードディスク、光磁気ディスク、ディジタルビデオディスク、磁気テープ、または、半導体メモリを含む。）である。
【発明の効果】
【００２１】
以上説明したように、本発明によれば以下の効果が得られる。第１の効果は、一般的に普及しているボタン電話装置に接続された表示器に着信側電話機から送信された情報を表示することが可能であり、情報表示のために別途パソコン等の設備を必要としないことである。
【００２２】
第２の効果は、通話中に会話を中断することなくメッセージの送受信が可能であり、利便性が高いことである。
【００２３】
第３の効果は、ボタン電話装置の動作をトリガとしてメッセージ送信が可能なため、電話呼び出し中のメッセージ、相手応答時のメッセージ等を区別して送信可能であることである。
【発明を実施するための最良の形態】
【００２４】
以下、本発明の電話情報表示システムの一実施の形態について説明する。図１に本発明一実施の形態に係るボタン電話情報表示システムの構成を示し、図２に発信から切断までのコマンドのフローを示す。図１に示すように、本システムの発信側には発信側ボタン電話装置１と、発信側ボタン電話装置１に接続された電話機１５と、電話機表示部１６を含む構成となっている。
【００２５】
発信側ボタン電話装置１は、ＩＰ（Ｉｎｔｅｒｎｅｔ  Ｐｒｏｔｏｃｏｌ）網とＳＩＰ（Ｓｅｓｓｉｏｎ  Ｉｎｉｔｉａｌ  Ｐｒｏｔｏｃｏｌ）で接続するためのＳＩＰゲートウェイ１２、電話機制御部１１、メッセージ取得部１４、電話表示制御部１３を含んで構成されている。尚、上記したＶｏＩＰに関しての詳細な機能に関しては省略する。
【００２６】
本システムの着信側には着信側ボタン電話装置２と、着信側ボタン電話装置２に接続された着信側の電話機２５，２７，２８と、電話機表示部２６を含む構成となっている。
【００２７】
着信側ボタン電話装置２は、上記同様にＩＰ網とＳＩＰで接続するためのＳＩＰゲートウェイ２２、電話機制御部２１、メッセージ記憶部２４、電話表示制御部２３を含んで構成されている。上記同様にＶｏＩＰに関しての詳細の機能に関しては省略する。
【００２８】
発信側ボタン電話装置１と着信側ボタン電話装置２はそれぞれルータ１７及びルータ２９を介してＩＰ網３に接続されている。本実施の形態はＩＰ網３がＳＩＰをサポートしていることが前提である。なお、ＳＩＰロケーションサーバ等の機能説明は省略する。
【００２９】
以下、本実施の形態に係るボタン電話情報表示システムの動作について説明する。発信側ボタン電話装置１に接続された電話機１５からダイヤル発信を行うと、電話機制御部１１、ＳＩＰゲートウェイ１２を経由して、ＩＰ網３から着信側ボタン電話装置２に着信が与えられる。着信側ボタン電話装置２はＳＩＰゲートウェイ２２、電話機能制御部２１を経由して電話機２５、２７、２８を鳴動させる。
【００３０】
電話機２５、２７、２８が鳴動している状態で着信側ボタン電話装置２はメッセージ記憶部２４のメッセージ１を電話機能制御部２１、ＳＩＰゲートウェイ２２、ＩＰ網３を経由して発信者側ボタン電話装置１に送信する。発信側ボタン電話装置１はＳＩＰゲートウェイ１２、電話機制御部１１からメッセージ取得部１４が着信側ボタン電話装置２からのメッセージ１を取得する。
【００３１】
ここで、外線着信中のメッセージ１の具体的内容を例示する。たとえば、以下のようなメッセージ内容（（１）〜（３）参照）が着信側ボタン電話装置２から送信される。
【００３２】
（１）「ギジュツブ  デス」等の着信外線の案内
（２）「バーゲンセール  カイサイチュー」等の宣伝
（３）「ホンジツノ  エイギョウ  シュウリョウシマシタ」等の告知
取得したメッセージ１は電話機制御部１１を経由して電話機１５の電話機表示部１６に表示される。また電話機２５の受話器を上げることで発信側ボタン電話装置１に応答信号が返信され通話状態となる。
【００３３】
通話状態となったタイミングで着信側ボタン電話装置２はメッセージ記憶部２４の電話機別メッセージ２（２５）を電話機能制御部２１、ＳＩＰゲートウェイ２２、ＩＰ網３を経由して発信者側ボタン電話装置１に送信する。
【００３４】
ここで、発信者側ボタン電話装置１に送信されるメッセージ２の具体的内容を例示する。たとえば、以下のようなメッセージ内容（（４）〜（７）参照）が着信側電話機２５，２７，２８の少なくとも一つから送信される。
【００３５】
（４）ガイシュツシテオリマス
（５）カイギョウチュウ  デス
（６）キュウカ  デス
（７）ケイタイニ  レンラク  クダサイ
すなわち、メッセージ２の内容は個人のプレゼンス情報の送信が考えられる。
【００３６】
発信側ボタン電話装置１はＳＩＰゲートウェイ１２、電話機制御部１１からメッセージ取得部１４が着信側ボタン電話装置２から送信されたメッセージ２（２５）を取得する。取得したメッセージ２（２５）は電話機制御部１１を経由して電話機１５の電話機表示部１６に表示される。
【００３７】
図３にメッセージ記録部２４の構成を示すが、メッセージ２（ｎ）は応答する電話機毎に異なるメッセージを登録することが可能である。
【００３８】
ここで、前記登録の方法は、電話機のダイヤルキーを使用して登録する方法と、パソコンをボタン電話装置に接続して登録する方法がある。
【００３９】
電話機のダイヤルキーには短縮番号の名称登録等の入力のために１ボタンはア行、２ボタンはカ行というよりカタカナが割り付けられているのが一般的である。設定用の番号（たとえば９００）を押した後にメッセージ番号を入力することで簡単な操作で登録することも可能である。
【００４０】
また、最近のボタン電話装置では、ボタン電話装置の種々の機能を設定するためにパソコン用のＷＥＢブラウザもしくは専用の設定プログラムが用意されている。このパソコンを使用することで、更に容易にメッセージを登録することが可能である。
【００４１】
応答した電話機が電話機２５の場合はメッセージ２（２５）、応答した電話機が２７の場合はメッセージ２（２７）が送出される。
【００４２】
次に、本発明のボタン電話情報表示システムの他の実施の形態について説明する。その基本的構成は上記の通りであるが、メッセージの送信方法について上記した一実施の形態と相違しており、さらに工夫されている。ボタン電話機の外観を図４、メッセージの送信制御フローを図５、メッセージ記憶部２４´のテーブル構成を図６に示す。先の構成では、メッセージ２（ｎ）は応答電話機により一意に決定されるが、着信側ボタン電話装置２のボタン電話機のファンクションボタン（３４）の操作によりメッセージ１〜ｎを選択して、任意の時間に送信を可能としている。また通話中に発信側ボタン電話装置１のボタン電話機のボタン操作により、発信側ボタン電話機から着信側ボタン電話機にメッセージを送出することも可能である。
【００４３】
また本実施の形態では発信側の表示性能がわからないために一般的に表示可能なカタカナを使用しているが、発信時に発信側電話機の表示性能（カタカナ、漢字、アルファベットの区別、桁数、段数）等の情報を付加して発信することで着信側が着信側電話機別にメッセージを送信することも可能である。
【００４４】
たとえばカタカナ表示の電話機には「カイギチュウ  デス」、漢字表示の電話機には「会議中です」のようなメッセージである。
【産業上の利用可能性】
【００４５】
本発明によれば、ボタン電話情報表示システムをコンピュータに実現するためのプログラムといった用途に適用できる。
【図面の簡単な説明】
【００４６】
【図１】図１に本発明に係るボタン電話情報表示システムの構成を示した図である。
【図２】発信側電話機の発信から切断までのシステム全体のコマンドのフローを示した図である。
【図３】本発明の一実施の形態におけるメッセージ記憶部２４のテーブル構成を示した図である。
【図４】ボタン電話機の外観を示した図である。
【図５】メッセージの送信制御フローを示した図である。
【図６】本発明の他の実施の形態におけるメッセージ記憶部２４´のテーブル構成を示した図である。
【符号の説明】
【００４７】
１    発信側ボタン電話装置
２    着信側ボタン電話装置
３    ＩＰ網
１１    電話機制御部
１２    ＳＩＰゲートウェイ
１３    電話表示制御部
１４    メッセージ取得部
１５，２５，２７，２８    電話機
１６，２６    電話機表示部
１７，２９    ルータ
２１    電話機制御部
２２    ＳＩＰゲートウェイ
２３    電話表示制御部
２４，２４´    メッセージ記憶部
３１  受話器
３２  ダイヤルキー
３３  操作ボタン
３４  ファンクションボタン
３５  電話機表示部
【図１】
2005260423.tif 000003
【図２】
2005260423.tif 000004
【図３】
2005260423.tif 000005
【図４】
2005260423.tif 000006
【図５】
2005260423.tif 000007
【図６】
2005260423.tif 000008